(57)【要約】【課題】  制御のための配線作業が不要で且つ広い場所での使用にも適した照明制御システムを提供する。【解決手段】  照明負荷を制御するための制御信号を赤外光として送信するリモコン装置１と、リモコン装置１から受信した制御信号を電波に変換して送信するインタフェース装置２と、それぞれ照明負荷を有する複数台の照明装置３ａ〜３ｃとを備える。照明装置３ａ〜３ｃは制御信号Ａ１を中継する機能を有する。赤外光及び電波といった無線信号を用いて制御信号を送受信することにより、制御信号用の信号線のための配線作業が不要となり、施工コストが低減される。また、インタフェース装置２が送信する制御信号Ａ１が直接届かない照明装置３ｃにも、他の照明装置３ｂが制御信号Ａ１を中継することにより制御信号Ａ１が届くから、広い場所での使用にも適する。【選択図】図１
2005243313.tif 000002
【特許請求の範囲】
【請求項１】
手操作される操作部と、操作部に加えられた操作に応じて照明負荷を制御するための制御信号を赤外光として送信する赤外送信部とを有するリモコン装置と、
リモコン装置から送信された制御信号を受信する赤外受信部と、赤外受信部に受信された制御信号を電波として送信する電波送信部とを有するインタフェース装置と、
それぞれ照明負荷と、インタフェース装置が送信した制御信号を受信する受信部と、受信部で受信された制御信号に基いて照明負荷を制御する照明制御部と、電波を送信する送信部と、送信部を制御する送信制御部と、中継要求信号を送信部から送信させる指示を送信制御部に入力するための中継要求部と、他の照明装置から送信された回答信号が受信部に受信されたときに使用者に報知する受信報知部とを有する複数の照明装置とを備え、
送信制御部は、中継要求部を介して入力された指示に応じて中継要求信号を送信部に送信させ、
他の照明装置から送信された中継要求信号が受信部に受信されると、回答信号を送信部に送信させるとともに、以後は制御信号が受信部に受信されると該制御信号と同じ制御信号を送信部に送信させる中継動作を行うことを特徴とする照明制御システム。
【請求項２】
送信制御部は、他の照明装置から送信された中継要求信号が受信部に受信された後に照明装置毎に異なる待機時間の間待機し、
待機時間が経過すると回答信号を送信部に送信させるとともに以後は制御信号が受信部に受信されると中継動作を行い、
中継要求信号を送信部に送信させた後に他の照明装置から送信された回答信号が受信部に受信されると受信確認信号を送信部に送信させ、
他の照明装置から送信された受信確認信号が待機時間の終了前に受信部に受信されたときには回答信号を送信させることも中継動作を行うようになることもなく待機時間を終了することを特徴とする請求項１記載の照明制御システム。
【請求項３】
照明装置は、インタフェース装置から送信された制御信号が受信部に受信されたときに照明制御部及び送信制御部が反応するか無視するかを設定するための動作設定部を有することを特徴とする請求項１又は請求項２記載の照明制御システム。
【請求項４】
インタフェース装置が送信する制御信号は、対象となる照明装置を示す識別情報を含み、各照明装置は、受信部に受信された制御信号に含まれる識別情報に応じて照明制御部及び送信制御部が反応するか無視するかを設定するための動作設定手段を有することを特徴とする請求項１又は請求項２記載の照明制御システム。
【請求項５】
中継動作を行う状態であるときに、インタフェース装置から送信された制御信号が受信部に受信されたときにも送信制御部及び照明制御部が無視するように動作設定部が設定されたときには、送信制御部は所定の再設定要求信号を送信部に送信させ、
照明装置は、他の照明装置から送信された再設定要求信号が受信部に受信されたときに使用者に報知する再設定要求報知部を備えることを特徴とする請求項３記載の照明制御システム。
【発明の詳細な説明】
【技術分野】
【０００１】
本発明は、無線信号によって複数の照明負荷を制御する照明制御システムに関するものである。
【背景技術】
【０００２】
従来から、それぞれ照明負荷を有する複数の照明装置を有し１個の制御装置によって各照明装置の照明負荷をそれぞれ制御する照明制御システムとして、図１７に示すように制御装置Ｃと各照明装置Ｌとを有線接続するものがある。しかし、制御用の信号線のための配線作業が必要となり施工コストがかかるという欠点がある。そこで、照明負荷を制御するための制御信号を図１８に示す制御装置としてのリモコン装置Ｒから赤外光として各照明装置Ｌに送信するようにすれば、信号線の配線作業は不要となる（例えば、特許文献１参照）。しかし、赤外光の光源として一般的に用いられる発光ダイオードでは封止樹脂によって赤外光を収束させてあるため、照明装置Ｌ毎にリモコン装置Ｒの向きを替えて送信する必要がある。また、赤外光には障害物に遮られやすいという欠点がある。例えば、図１９に示すように仕切りＷのある部屋に照明装置Ｌ１〜Ｌ６が配置されていた場合、図２０の位置からでは赤外光が仕切りＷに遮られるために照明装置Ｌ６を制御することができない。
【特許文献１】特許第３３５６５９８号公報
【発明の開示】
【発明が解決しようとする課題】
【０００３】
そこで、図２１に示すように制御装置Ｃから電波として送信される信号によって各照明負荷を制御するものも提供されている。このように電波を用いるならば、仕切りＷのような障害物に信号が遮られることもなく、信号線の配線作業も不要である。しかし、無免許で使用可能な程度の電界強度の電波では、到達する距離が短く、図２２に示すように制御装置Ｃから離れた照明負荷Ｌ５，Ｌ６に信号が届かないことがあり、広い場所での使用に適さないという欠点がある。また、隣の部屋など予想外の位置にある照明負荷Ｌ７が不用意に制御されてしまうこともあった。
【０００４】
本発明は上記事由に鑑みて為されたものであり、その目的は、制御のための配線作業が不要で且つ広い場所での使用にも適する照明制御システムを提供することにある。
【課題を解決するための手段】
【０００５】
請求項１の発明は、手操作される操作部と、操作部に加えられた操作に応じて照明負荷を制御するための制御信号を赤外光として送信する赤外送信部とを有するリモコン装置と、リモコン装置から送信された制御信号を受信する赤外受信部と、赤外受信部に受信された制御信号を電波として送信する電波送信部とを有するインタフェース装置と、それぞれ照明負荷と、インタフェース装置が送信した制御信号を受信する受信部と、受信部で受信された制御信号に基いて照明負荷を制御する照明制御部と、電波を送信する送信部と、送信部を制御する送信制御部と、中継要求信号を送信部から送信させる指示を送信制御部に入力するための中継要求部と、他の照明装置から送信された回答信号が受信部に受信されたときに使用者に報知する受信報知部とを有する複数の照明装置とを備え、送信制御部は、中継要求部を介して入力された指示に応じて中継要求信号を送信部に送信させ、他の照明装置から送信された中継要求信号が受信部に受信されると、回答信号を送信部に送信させるとともに、以後は制御信号が受信部に受信されると該制御信号と同じ制御信号を送信部に送信させる中継動作を行うことを特徴とする。
【０００６】
この発明によれば、電波を用いて各照明装置を制御するから、制御用の信号線の配線作業が不要となり、施工コストが低減される。また、照明装置が中継動作を行うことにより、インタフェース装置の制御信号が直接届かない照明装置も制御することができるから、広い場所での使用にも適する。
【０００７】
請求項２の発明は、請求項１の発明において、送信制御部は、他の照明装置から送信された中継要求信号が受信部に受信された後に照明装置毎に異なる待機時間の間待機し、待機時間が経過すると回答信号を送信部に送信させるとともに以後は制御信号が受信部に受信されると中継動作を行い、中継要求信号を送信部に送信させた後に他の照明装置から送信された回答信号が受信部に受信されると受信確認信号を送信部に送信させ、他の照明装置から送信された受信確認信号が待機時間の終了前に受信部に受信されたときには回答信号を送信させることも中継動作を行うようになることもなく待機時間を終了することを特徴とする。
【０００８】
この発明によれば、制御信号が複数の照明装置によって重複して中継されることを防ぐことができる。
【０００９】
請求項３の発明は、請求項１又は請求項２の発明において、照明装置は、インタフェース装置から送信された制御信号が受信部に受信されたときに照明制御部及び送信制御部が反応するか無視するかを設定するための動作設定部を有することを特徴とする。
【００１０】
この発明によれば、例えば異なる部屋などで制御信号に反応する必要のない照明装置が制御信号を無視するように設定することができる。
【００１１】
請求項４の発明は、請求項１又は請求項２の発明において、インタフェース装置が送信する制御信号は、対象となる照明装置を示す識別情報を含み、各照明装置は、受信部に受信された制御信号に含まれる識別情報に応じて照明制御部及び送信制御部が反応するか無視するかを設定するための動作設定手段を有することを特徴とする。
【００１２】
この発明によれば、例えば異なる部屋などで制御信号に反応する必要のない照明装置を、インタフェース装置に応じて制御信号を無視するように設定することができる。
【００１３】
請求項５の発明は、請求項３の発明において、中継動作を行う状態であるときに、インタフェース装置から送信された制御信号が受信部に受信されたときにも送信制御部及び照明制御部が無視するように動作設定部が設定されたときには、送信制御部は所定の再設定要求信号を送信部に送信させ、照明装置は、他の照明装置から送信された再設定要求信号が受信部に受信されたときに使用者に報知する再設定要求報知部を備えることを特徴とする。
【００１４】
この発明によれば、中継要求信号を受信して中継動作を行う状態となった照明装置が、制御信号に反応する必要のない照明装置であった場合に、中継経路の再設定を促すことができる。
【発明の効果】
【００１５】
本発明によれば、制御信号を電波として各照明装置に送信するから、制御信号のための配線作業が不要となる。また、照明装置が中継動作を行うことにより、インタフェース装置の制御信号が直接届かない照明装置も制御することができるから、広い場所での使用にも適する。
【発明を実施するための最良の形態】
【００１６】
以下、本発明を実施するための最良の形態について図面を参照しながら説明する。
【００１７】
（実施形態１）
本実施形態は、図１に示すように、照明負荷としてのランプ３１（図４参照）を制御するための制御信号を赤外光として送信するリモコン装置１と、例えば壁面に配設されリモコン装置１から受信した制御信号を電波に変換して送信するインタフェース装置２と、それぞれ例えば天井に配設されランプ３１を有する複数台（図では３台）の照明装置３ａ〜３ｃとからなり、照明装置３ａ〜３ｃが制御信号Ａ１を中継する機能を有することを特徴とする。赤外光及び電波といった無線信号を用いて制御信号Ａ１を送受信することにより、制御信号Ａ１用の信号線のための配線作業が不要となる。また、照明装置３ａ〜３ｃが制御信号Ａ１を中継する機能を有することにより、インタフェース装置２が送信する制御信号Ａ１を直接全ての照明装置３ａ〜３ｃに受信させることができない場合にも使用可能であり、広い場所での使用にも適するものである。
【００１８】
ここで、無免許で利用可能とするためには、インタフェース装置２及び照明装置３ａ〜３ｃは、送信する電波の電界強度が電波法に規定された許容値以下である微弱無線機、または、周波数帯域及び電界強度がそれぞれ電波法に規定された範囲内である特定小電力無線機である必要がある。インタフェース装置２及び照明装置３ａ〜３ｃを微弱無線機とする場合、特定小電力無線機とする場合に比べて製造コストが低く抑えられるという利点がある。また、インタフェース装置２及び照明装置３ａ〜３ｃを特定小電力無線機とする場合、微弱無線機とする場合に比べて電波の届く距離が長く、より広い場所での使用に適するという利点がある。
【００１９】
以下、本実施形態の各構成要素について詳しく説明する。
【００２０】
リモコン装置１は、図２に示すように、例えば押釦スイッチで構成され手操作によって制御の指示が入力される操作部１１と、操作部に加えられた操作に応じた制御信号を生成する制御部１２と、制御部１２によって制御され、制御部１２が生成した制御信号を赤外光として送信する赤外送信部１３とを備える。
【００２１】
インタフェース装置２は、図３に示すように、リモコン装置１が送信した制御信号を受信する赤外受信部２１と、制御部２２と、制御部２２によって制御され電波を送信する電波送信部２３とを備え、制御部２２は、赤外受信部２１に受信された制御信号と同じ制御信号Ａ１を電波として電波制御部２３に送信させる。また、手操作され制御部２２が電波送信部２３に後述する設定信号Ａ２を送信させるトリガとなる設定スイッチ２４を備える。
【００２２】
照明装置３ａ〜３ｃは、図４に示すように、それぞれ照明負荷としてのランプ３１と、インタフェース装置２が送信した制御信号Ａ１を受信する受信部３２と、受信部３２で受信された制御信号に基いてランプ３１を制御する照明制御部としての制御部３３とを有する。また、制御部３３によって制御され電波を送信する送信部３４と中継要求スイッチ３５とを備え、制御部３３は、中継要求スイッチ３５が操作されたときに中継要求信号Ａ３を送信部３４に送信させる。つまり、制御部３３は送信制御部でもある。また、制御部３３は、他の照明装置から送信された中継要求信号Ａ３が受信部３２に受信されたときには、内部の送信フラグをオンするとともに回答信号Ａ４を送信部３４に送信させる。そして、送信フラグがオンされているときには、制御信号Ａ１が受信部３２に受信されたときに同じ制御信号Ａ１を送信部３４に送信させる中継動作を行う。さらに、照明装置３ａ〜３ｃはＬＥＤ３６及びＬＥＤ消灯スイッチ３７を有し、制御部３３は、設定信号Ａ２又は他の照明装置３ａ〜３ｃから送信された回答信号Ａ４が受信部３２に受信されたときにＬＥＤ３６を点灯させ、ＬＥＤ消灯スイッチ３７が操作されたときにＬＥＤ３６を消灯させる。つまり、ＬＥＤ３６が受信報知部である。また、制御部３３は、設定信号Ａ２が受信部３２に受信されたときには送信フラグをオフする。なお、図４には１個の照明装置３ａのみを示したが、他の照明装置３ｂ，３ｃも共通の構成を有する。
【００２３】
次に、図５に示すようにインタフェース装置２の制御信号Ａ１が図上部の第１の照明装置３ａ及び図中央の第２の照明装置３ｂには届いても図下部の第３の照明装置３ｃに届かない場合に、図１に示すように第３の照明装置３ｃと通信可能な第２の照明装置３ｂに制御信号Ａ１を中継させるように中継経路を設定するための手順について、図６及び図７のタイムチャートを参照しながら説明する。なお、図６で照明装置３ａ〜３ｃの左下の印はＬＥＤ３６が点灯している状態であることを示す。
【００２４】
まず、図６（ａ）に示すように使用者Ｍはインタフェース装置２の設定スイッチ２４を操作する（図７のＳ１）。すると、インタフェース装置２の制御部２２は設定信号Ａ２を電波送信部２３に送信させる（Ｓ２）。第１の照明装置３ａ及び第２の照明装置３ｂではそれぞれ設定信号Ａ２が受信されてＬＥＤ３６が点灯する（Ｓ３）。このとき、第１の照明装置３ａ及び第２の照明装置３ｂの制御部３３では、送信フラグがオンされていれば送信フラグをオフする。
【００２５】
次に、使用者Ｍは第３の照明装置３ｃのＬＥＤ３６が点灯していないのを見て、図６（ｂ）に示すように第３の照明装置３ｃの中継要求スイッチ３５を操作する（Ｓ４）。すると、第３の照明装置３ｃの制御部３３は送信部３４に中継要求信号Ａ３を送信させる（Ｓ５）。中継要求信号Ａ３は第３の照明装置３ｃに近い第２の照明装置３ｂの受信部３２に受信され、第２の照明装置３ｂの制御部３３は内部の送信フラグをオンするとともに図６（ｃ）に示すように回答信号Ａ４を送信部３４に送信させる（Ｓ６）。第３の照明装置３ｃでは回答信号Ａ４が受信部３２に受信されたことにより、ＬＥＤ３６が点灯する（Ｓ３）。なお、中継要求信号Ａ３を送信していない第１の照明装置３ａでは、仮に回答信号Ａ４が受信部３２に受信されても制御部３３は回答信号Ａ４を無視する。
【００２６】
最後に、使用者Ｍは全ての照明装置３ａ〜３ｃのＬＥＤ３６が点灯したのを確認して、図６（ｄ）に示すように各照明装置３ａ〜３ｃのＬＥＤ消灯スイッチ３７をそれぞれ操作し、ＬＥＤ３６を消灯させる。以上で中継経路の設定が完了する。
【００２７】
以後は、図８のタイムチャートに示すようにリモコン装置１の操作部１１を操作する（Ｓ９）と、リモコン装置１によって制御信号が赤外光として送信され（Ｓ１０）、インタフェース装置２はリモコン装置１から赤外光として受信した制御信号Ａ１を電波として送信し（Ｓ１１）、第１の照明装置３ａ及び第２の照明装置３ｂでは受信された制御信号Ａ１に基いてランプ３１が制御され（Ｓ１２）、さらに第２の照明装置３ｂの制御部３３は、送信フラグがオンであるから、受信された制御信号Ａ１と同じ制御信号Ａ１を送信部３４に送信させ（Ｓ１３）、第３の照明装置３ｃでは第２の照明装置３ｂから送信された制御信号Ａ１が受信され、この制御信号Ａ１に基いてランプ３１が制御される（Ｓ１２）。なお、インタフェエース装置２から直接制御信号Ａ１を受信した第１の照明装置３ａでは、さらに連続して第２の照明装置３ｂから同じ制御信号Ａ１が受信された場合でも、制御部３３は後の制御信号Ａ１を無視する。
【００２８】
上記構成によれば、制御信号用の信号線の配線作業が不要となるから、施工コストが低減される。また、照明装置３ａ〜３ｃが制御信号を中継する機能を有することにより、インタフェース装置２が送信した制御信号Ａ１が直接照明装置３ｃに届かない場合でも、他の照明装置３ｂに制御信号Ａ１を中継させることによって照明装置３ｃに制御信号Ａ１を届かせることができるから、仮にインタフェース装置２及び照明装置３ａ〜３ｃをともに信号の届く距離が比較的に短い微弱無線機にしたとしても、広い場所での使用に適する。
【００２９】
なお、インタフェース装置２に設定信号Ａ２を送信させるトリガとなる信号をリモコン装置１から送信可能としてもよい。この構成によれば、中継経路の設定作業がより容易になる。
【００３０】
（実施形態２）
本実施形態の基本構成は実施形態１と共通であるので、共通する部分については同じ符号を付して説明を省略し、異なる部分についてのみ説明する。
【００３１】
本実施形態は、図９（ａ）に示すように、第３の照明装置３ｃからの中継要求信号Ａ３が複数の照明装置３ａ，３ｂに受信された場合にも、複数の照明装置３ａ，３ｂが重複して制御信号Ａ１を中継するようになることを防ぐものである。
【００３２】
具体的に説明すると、本実施形態の制御部３３は、中継要求信号が受信部３２に受信されたときに、すぐに回答信号を送信させるのではなく、乱数によって決定される待機時間だけ待機状態となる。つまり、中継要求信号を受信した照明装置３ａ，３ｂごとに異なる時間だけ待機することになる。また、中継要求信号Ａ３を送信させた後に、回答信号Ａ４が受信されれば受信確認信号Ａ５を送信させるとともに、ＬＥＤ３６を点灯させる。そして、中継要求信号Ａ３が受信部３２に受信された後の待機中に、受信確認信号Ａ５が受信部３２に受信された場合、回答信号Ａ４を送信部３４に送信させることも送信フラグをオンすることもなく待機状態を終了する。
【００３３】
例えば図９（ａ）に示すように第３の照明装置３ｃからの中継要求信号Ａ３が第１の照明装置３ａと第２の照明装置３ｂとの両方に受信された場合の本実施形態の動作を、図９と図１０のタイムチャートとを用いて説明する。まず、中継要求信号Ａ３を受信した第１の照明装置３ａ並びに第２の照明装置３ｂの各制御部３３はともに待機状態となる（Ｓ１３）。
【００３４】
そして、第２の照明装置３ｂでの待機時間が第１の照明装置３ａでの待機時間よりも先に終了した場合、第２の照明装置３ｂの制御部３３は待機時間の終了時点で図９（ｂ）に示すように回答信号Ａ４を送信部３４に送信させるとともに送信フラグをオンする（Ｓ６）。
【００３５】
第２の照明装置３ｂから送信された回答信号Ａ４は第３の照明装置３ｃの受信部３２に受信され、これを受けて第３の照明装置３ｃの制御部３３は図９（ｃ）に示すように受信確認信号Ａ５を送信部３４に送信させる（Ｓ１４）とともにＬＥＤ３６を点灯させる（Ｓ３）。
【００３６】
待機状態であった第１の照明装置３ａの制御部３３は、第３の照明装置３ｃが送信した受信確認信号Ａ５が受信部３２に受信されると、回答信号Ａ４を送信部３４に送信させることも送信フラグをオンすることもなく待機状態を終了する（Ｓ１５）。つまり、第１の照明装置３ａは制御信号Ａ１を中継しない。なお、待機状態でない第２の照明装置３ｂでは、受信確認信号Ａ５が受信されても制御部３３は受信確認信号Ａ５を無視する。
【００３７】
上記構成によれば、最初に待機状態を終了した照明装置３ｂ以外は制御信号Ａ１を中継しないことになるから、複数の照明装置３ｂ，３ｃが重複して制御信号を中継することが防止される。
【００３８】
（実施形態３）
本実施形態の基本構成は実施形態２と共通であるので、共通する部分については同じ符号を付して説明を省略し、異なる部分についてのみ説明する。
【００３９】
ここで、図１１に示すように、第３の照明装置３ｃだけでなく、唯一第３の照明装置３ｃと通信可能な第２の照明装置３ｂまでもがインタフェース装置２の制御信号Ａ１及び設定信号Ａ２を受信できない状態を考える。このような場合に、実施形態１及び実施形態２では、第３の照明装置３ｃに制御信号Ａ１が届くようにするには、先に第２の照明装置３ｂの中継要求スイッチ３５を操作してから、第３の照明装置３ｃの中継要求スイッチ３５を操作する必要があった。本実施形態は、図１１のような状態であっても、第３の照明装置３ｃの中継要求スイッチ３５を操作するだけで、第３の照明装置３ｃに制御信号Ａ１が届くように中継経路を設定することができるものである。
【００４０】
具体的には、照明装置３ａ〜３ｃにおいて、設定信号Ａ２と回答信号Ａ４とのいずれも受信されておらずＬＥＤ３６が点灯していない状態で中継要求信号Ａ３が受信部３２に受信された場合に、制御部３３が中継要求信号Ａ３を送信部３４に送信させ、その後に回答信号Ａ４が受信部３２に受信されたときに回答信号Ａ４を送信部３４に送信させるとともに送信フラグをオンするようにした。また、制御部３３は、中継要求信号Ａ３を送信部３４に送信させてから回答信号Ａ４が受信部３２に受信されるまでの間に待機時間が終了した場合は、改めて待機時間を決定して再び待機状態に入る。
【００４１】
本実施形態の動作を詳しく説明する。図１２（ａ）に示すように使用者Ｍが第３の照明装置３ｃの中継要求スイッチ３５を操作すると、第３の照明装置３ｃの制御部３３は中継要求信号Ａ３を送信部３４に送信させ、この中継要求信号Ａ３が第２の照明装置３ｂに受信される。このとき第２の照明装置３ｂでは設定信号Ａ２と回答信号Ａ４とのいずれも受信されておらずＬＥＤ３６は点灯していないから、第２の照明装置３ｂの制御部３３は図１２（ｂ）に示すように中継要求信号を送信部３２に送信させる。
【００４２】
第２の照明装置３ｂから送信された中継要求信号は第１の照明装置３ａの受信部３２に受信され、第１の照明装置３ａの制御部３３は待機時間の後に図１２（ｃ）に示すように回答信号を送信部３４に送信させるとともに送信フラグをオンする。この回答信号は第２の照明装置３ｂの受信部３２に受信され、これを受けて第２の照明装置３ｂの制御部３３は図１２（ｄ）に示すように受信確認信号Ａ５を送信部３４に送信させ、さらに、待機時間が終了した時点で回答信号Ａ４を送信部３４に送信させるとともに送信フラグをオンする。第３の照明装置３ｃでは、第２の照明装置３ｂから送信された回答信号Ａ４が受信部３２に受信されたことにより、図１２（ｅ）に示すように制御部３３が受信確認信号Ａ５を送信部３３に送信させるとともにＬＥＤ３６を点灯させる。
【００４３】
以後は、第１の照明装置３ａが制御信号Ａ１を中継することにより第２の照明装置３ｂにも制御信号Ａ１が届き、さらに第２の照明装置３ｂが制御信号Ａ１を中継することにより第３の照明装置３ｃにも制御信号Ａ１が届く。
【００４４】
上記構成を採用すれば、図１１のような場合に、第３の照明装置３ｃの中継要求スイッチ３５を操作するだけで第３の照明装置３ｃに制御信号Ａ１を届かせることができ、第２の照明装置３ｂの中継要求スイッチ３５を操作する必要がないから、実施形態１や実施形態２に比べて操作が簡略化される。
【００４５】
（実施形態４）
本実施形態の基本構成は実施形態１と共通であるので、共通する部分については同じ符号を付して説明を省略し、異なる部分についてのみ説明する。
【００４６】
本実施形態は、制御信号Ａ１を設定信号Ａ２及び回答信号Ａ４の代わりに用い、ランプ３１をＬＥＤ３６の代わりに用いて構成を簡略化したものである。
【００４７】
すなわち、本実施形態のインタフェース装置２は、図１３に示すように、設定スイッチ２４を有さない。また、照明装置３ａ〜３ｃは、図１４に示すように、ＬＥＤ３６及びＬＥＤ消灯スイッチ３７を有さず、制御部３３が送信フラグをオフするトリガとなる初期化スイッチ３８と、最後に受信された制御信号Ａ１が格納される制御信号格納部３９とを有する。
【００４８】
そして、制御部３３は、受信部３２に制御信号Ａ１が受信される度に、制御信号格納部３９に格納された制御信号Ａ１を更新し、中継要求信号Ａ３が受信部３２に受信されると、送信フラグをオンするとともに、制御信号格納部３９に格納された制御信号Ａ１を送信部３４に送信させる。
【００４９】
図１５（ａ）に示すようにリモコン装置１によって全ての照明装置３ａ〜３ｃのランプ３１を点灯させようとしたときに、第３の照明装置３ｃのランプ３１が点灯しなかった場合を考える。ここで、図１５（ａ）〜（ｃ）において、照明装置３ａ〜３ｃの下側の放射線状のマークは、その照明装置３ａ〜３ｃのランプ３１が点灯していることを示す。この場合、使用者Ｍは、ランプ３１が点灯していない第３の照明装置３ｃの中継要求スイッチ３５を操作すればよい。すると、図１５（ｂ）に示すように第３の照明装置３ｃから中継要求信号Ａ３が送信され、この中継要求信号Ａ３を受信した第２の照明装置３ｂでは、制御部３３が送信フラグをオンするとともに制御信号格納部３９に格納された制御信号Ａ１すなわちランプ３１を点灯させる制御信号Ａ１を送信部３４に送信させる。制御信号Ａ１は第３の照明装置３ｃの受信部３２に受信され、これにより図１５（ｃ）に示すように第３の照明装置３ｃのランプ３１が点灯する。また、第２の照明装置３ｂの制御部３３の送信フラグがオンされていることにより、以後は第２の照明装置３ｂに制御信号Ａ１を中継させることができる。
【００５０】
上記構成によれば、実施形態１に比べ、インタフェース装置２の設定スイッチ２４並びに照明装置３ａ〜３ｃのＬＥＤ消灯スイッチ３７を操作する必要がないから、照明装置３ｂに制御信号の中継を開始させるための操作がより簡単になる。
【００５１】
（実施形態５）
本実施形態の基本構成は実施形態１と共通であるので、共通する部分については同じ符号を付して説明を省略し、異なる部分についてのみ説明する。
【００５２】
本実施形態は、図１６に示すように例えば互いに隣接する部屋で同じタイプの照明制御システムが利用されている場合を想定し、別の照明制御システムに属するためにインタフェース装置２の制御信号によっては制御される必要のない照明装置３ｄのランプ３１が制御されてしまうことを防ぐものである。
【００５３】
すなわち、インタフェース装置２が送信する設定信号Ａ２及び制御信号Ａ１は送信元のインタフェース装置２を示す識別情報を含んでおり、制御部３３は、あるインタフェース装置２から送信された設定信号Ａ２が受信部３２に受信されてＬＥＤ３６を点灯させた後に所定時間以内にＬＥＤ消灯スイッチ３７が操作されなかった場合には、自動的にＬＥＤ３６を消灯する。さらに、以後はそのインタフェース装置２から送信された設定信号Ａ２及び制御信号Ａ１を無視する。つまり、制御部３３が動作設定部及び動作設定手段となる。ここで、識別情報としてはインタフェース装置２毎に固有の番号であってもよいし、インタフェース装置２に自由に設定可能なチャンネルであってもよい。
【００５４】
なお、動作設定部及び動作設定手段としては、制御部３３にＬＥＤ３６を消灯させるとともにインタフェース装置２から送信された設定信号Ａ２及び制御信号Ａ１を無視させるトリガとなるスイッチを照明装置３３ａ〜３３ｄに設けてもよい。
【００５５】
上記構成によれば、インタフェース装置２の制御信号Ａ１によっては制御される必要のない照明装置３ｄのランプ３１が不用意に制御されてしまうことを防ぐことができる。
【００５６】
さらに、制御部３３が、インタフェース装置２から送信された設定信号Ａ２及び制御信号Ａ１を無視する状態に切り換わる際に、送信フラグがオンされていれば再設定要求信号を送信部３４に送信させ、他の照明装置３ｄから送信された再設定要求信号が受信部３２に受信されたときにはランプ３１を点滅させるようにしてもよい。この場合、ランプ３１が再設定要求報知部となる。ここで、再設定要求報知部としては、照明装置３１を用いる代わりに、例えばブザーを照明装置３ａ〜３ｄに設けてこれを駆動するようにしてもよい。
【００５７】
この構成を採用すれば、インタフェース装置２から送信された設定信号Ａ２及び制御信号Ａ１を無視する状態に切り換わる照明装置３ｄが、制御信号Ａ１を中継すべき状態であったときに、ランプ３１の点滅やブザーの鳴動によって中継経路の再設定を促すことができる。
【図面の簡単な説明】
【００５８】
【図１】本発明の実施形態１の動作を示す説明図である。
【図２】同上のリモコン装置を示すブロック図である。
【図３】同上のインタフェース装置を示すブロック図である。
【図４】同上の照明装置を示すブロック図である。
【図５】同上において制御信号が中継されていない状態を示す説明図である。
【図６】同上において照明装置が制御信号を中継するように設定される際の動作を示す動作説明図であり、（ａ）〜（ｄ）はそれぞれ異なる段階を示す。
【図７】同上において照明装置が制御信号を中継するように設定される際の動作の流れを示す説明図である。
【図８】同上において照明装置が制御信号を中継するように設定された後の動作の流れを示す説明図である。
【図９】本発明の実施形態２において照明装置が制御信号を中継するように設定される際の動作を示す動作説明図であり、（ａ）〜（ｃ）はそれぞれ異なる段階を示す。
【図１０】同上において照明装置が制御信号を中継するように設定される際の動作の流れを示す説明図である。
【図１１】本発明の実施形態３において制御信号が中継されていない状態を示す説明図である。
【図１２】同上において照明装置が制御信号を中継するように設定される際の動作を示す動作説明図であり、（ａ）〜（ｅ）はそれぞれ異なる段階を示す。
【図１３】本発明の実施形態３のインタフェース装置を示すブロック図である。
【図１４】同上の照明装置を示すブロック図である。
【図１５】同上において照明装置が制御信号を中継するように設定される際の動作を示す動作説明図であり、（ａ）〜（ｃ）はそれぞれ異なる段階を示す。
【図１６】本発明の実施形態４を示す説明図である。
【図１７】従来例を示す説明図である。
【図１８】別の従来例を示す説明図である。
【図１９】照明装置の配置の一例を示す図である。
【図２０】さらに別の従来例を示す説明図である。
【図２１】図１８に示した従来例の問題点を示す説明図である。
【図２２】図２０に示した従来例の問題点を示す説明図である。
【符号の説明】
【００５９】
１  リモコン装置
２  インタフェース装置
３  照明装置
１１  操作部
１３  赤外送信部
２１  赤外受信部
２３  電波送信部
３１  ランプ
３２  受信部
３３  制御部
３４  送信部
３５  中継要求スイッチ
３６  ＬＥＤ
【図１】
2005243313.tif 000003
【図２】
2005243313.tif 000004
【図３】
2005243313.tif 000005
【図４】
2005243313.tif 000006
【図５】
2005243313.tif 000007
【図６】
2005243313.tif 000008
【図７】
2005243313.tif 000009
【図８】
2005243313.tif 000010
【図９】
2005243313.tif 000011
【図１０】
2005243313.tif 000012
【図１１】
2005243313.tif 000013
【図１２】
2005243313.tif 000014
【図１３】
2005243313.tif 000015
【図１４】
2005243313.tif 000016
【図１５】
2005243313.tif 000017
【図１６】
2005243313.tif 000018
【図１７】
2005243313.tif 000019
【図１８】
2005243313.tif 000020
【図１９】
2005243313.tif 000021
【図２０】
2005243313.tif 000022
【図２１】
2005243313.tif 000023
【図２２】
2005243313.tif 000024